【事件の表示】
　特願２００１−　５３０６２「工作機プローブおよびそのスイッチオン方法」拒絶査定不服審判事件〔平成１３年　９月２６日出願公開、特開２００１−２６４０４０〕について、次のとおり審決する。
【結　論】
　本件審判の請求は、成り立たない。
【理　由】
１．手続の経緯・拒絶の理由
　
（１）本願は、平成１３年２月２７日の出願（優先権主張　２０００年２月２９日、英国）であって、特許請求の範囲について、平成２３年４月１１日付けで補正がなされ、平成２３年５月１７日付け（送達：同年同月２０日）で拒絶査定がなされ、これに対し、同年９月２０日に拒絶査定不服審判が請求されると同時に、特許請求の範囲についての補正（以下、「本件補正」という。）がなされたものである。
　その後、平成２４年１月１２日付け審尋書により、本件補正は却下すべきものであるとともに、本願は原査定の拒絶の理由によって拒絶されるべきものである旨の審尋をしたところ、請求人から、同年４月４日付け回答書の提出があった。
　
（２）原査定の拒絶の理由は、本願各請求項に記載された発明は、いずれも、本願の優先日前に日本国内または外国において頒布された刊行物である特開平号２−２１７９４公報（以下、「刊行物１」という。）に記載された発明、国際公開第９９／４１８５６号（１９９９年８月１９日　国際公開、以下、「刊行物２」という。）に記載された、当業者が考慮すべき事項、及び、例えば、特開昭６２−２８７７２４号公報（以下、「刊行物３」という。）に記載された周知技術に基づいて当業者が容易に発明をすることができたものであるから特許を受けることができない、というものである。
　
２．補正の適否・本願発明
　
（１）補正の内容
　本件補正は、請求項１を次のとおりに補正するものである。
　
（補正前）
「工作機械プローブであって、
　無線信号伝送回路と、
　光パルスのバーストからなる光スイッチオン信号を検出し、前記無線信号伝送回路をスイッチオンする検出回路と
を具え、
　前記検出回路は、前記スイッチオン信号の前記光パルスのバーストの持続時間に基づいて、入力信号がスイッチオン信号であるか妨害信号であるかを弁別する時間弁別回路を含むことを特徴とする工作機械プローブ。」
　
（補正後）
「工作機械プローブであって、
　無線信号伝送回路および低電力消費回路と、
　　ここで、該低電力消費回路は、入力信号を増幅する増幅器を含み、
　光パルスのバーストからなる光スイッチオン信号を検出し、前記無線信号伝送回路をスイッチオンする検出回路と
を具え、
　前記無線信号伝送回路は、前記光スイッチオン信号の前記光パルスのバーストの持続時間に基づいて、前記増幅器によって増幅された前記入力信号が光スイッチオン信号であるか妨害信号であるかを弁別する時間弁別回路を含むことを特徴とする工作機械プローブ。」
　
（２）検討
　審尋書においても指摘したが、時間弁別回路について見ると、本件補正によって、該時間弁別回路を含む回路が検出回路から無線信号伝送回路に変更されているところ、本願明細書及び図面の記載全体を総合すると時間弁別回路を有するのは検出回路であり、この点において本件補正後の請求項１に係る発明は、明細書や図面に記載のものと矛盾している。
　他方、請求人は、審尋に対する回答書において請求項１についての補正案を示しており、その補正案の内容を見ると、上記変更は撤回され、上記矛盾は解消している。
　そこで、本願請求項１に係る発明を、以下のものと認めて、検討を進めることとする。
　
（３）本願発明
「工作機械プローブであって、 
　無線信号伝送回路および低電力消費回路と、
　　　ここで、該低電力消費回路は、入力信号を増幅する増幅器を含み、 
　光パルスのバーストからなる光スイッチオン信号を検出し、前記無線信号伝送回路をスイッチオンする検出回路と
を具え、 
　前記検出回路は、前記光スイッチオン信号の前記光パルスのバーストの持続時間に基づいて、前記増幅器によって増幅された前記入力信号が光スイッチオン信号であるか妨害信号であるかを弁別する時間弁別回路を含むことを特徴とする工作機械プローブ。」（以下、「本願発明」という。）　
　
３．刊行物に記載の事項・発明
　
　刊行物１である特開平２−２１７９４号公報には、以下の記載がある。
　
（１−１）
「［産業上の利用分野］
  本発明は、工作機械，座標測定機械，検査ロボットその他（単に工作機械という）において用いられる信号伝送システムに関するものである。
［従来の技術］
  これらの機械上のワークピースを検査するための種々のプローブが知られている。ワークピース表面と接触または所定の関係を得たときにトリガ信号を発生するトリガプローブや、ワークピース表面の位置に関連したディジタルまたはアナログ出力を発生する測定プローブもそれに含まれる。
  工作機械のように、特にプローブを他の工具と交換可能とするときには、機械にワイヤレス伝送システムを設け、プローブ出力を伝送してインタフェースに戻すようにすることが知られている。例えば、米国特許第4,509,266号では光学（赤外線）伝送システムが開示されている。このようなシステムは、レニショウ・メトロロジ・リミテッド（英国グロスターシャー州ウォットン・アンダー・エッジ）からも入手できる。同様なシステムは例えば機械の台（ベッド）上、あるいはコンベヤないしはパレット上におけるワークピースの存在ないしは位置に関連して、またはバイス，グリッパあるいはロボットなどの装置の状態に関連して、他のセンサからの信号を伝送するのにも用いることができる。例えば米国特許第4,545,106号を参照されたい。
  これら公知のシステムにはプローブあるいは他のセンサに内蔵された、またはこれに取付けられた光学伝送モジュールに内蔵されたバッテリ電源が含まれる。バッテリパワーを保存するためには、光学伝送が所望時にのみスイッチオンされるのが望ましいのは明らかである。そして、上記米国特許第4,509,266号では２ウェイ伝送システムが開示され、ここではプローブ内のレシーバが、機械のインタフェースに組合せて機械に取付けられたトランスミッタからの高強度の赤外線フラッシュの受信時にバッテリ電源をスイッチオンするようにしている。レニショウ・メトロロジ・リミテッドからは機械に取付けられたインタフェース・モジュール（プローブによって伝送される信号を受容するもの）からプローブに取付けられたレシーバに低強度の赤外線を伝送することによって同様の効果を達成するシステムを入手できる。このための低強度の赤外線信号は所定周波数でオンおよびオフするように変調され、周囲輻射からプローブ内のレシーバによってピックアップすることができる。この低強度の信号は、事実上、所定周波数を有する短いバーストの赤外線パルスである。
［発明が解決しようとする課題］
  そのようなシステムは、実際面で良く働いていることがわかっている。しかしながら、工作機械には、同時に使用可能なものであれ、変換可能で非使用時には工具マガジンに貯蔵されるものであれ、異なった検査ジョブに対応すべくいくつかのプローブが設けられる傾向が多くなってきている。１つのプローブが使用されるべきときには、そのプローブをスイッチオンして、その工作機械または他の工作機械上の他のプローブが同時にスイッチオンされることがないようにするのが望ましいであろう。そのような伝送システムが他のセンサからの信号を伝送するのに用いられるものであっても、同じ問題が存在する。
  すなわち、用いようとしているプローブからのものに加えて、他の非使用プローブからの信号をも受信してしまい干渉が生じ得るからである。また、非使用のプローブのバッテリが徒らにオンとされればバッテリの消耗が早くなり、頻繁なバッテリ変換が必要となる。
［課題を解決するための手段］
　本発明に係る工作機械などのための信号伝送システムは、所定信号を受信する受信手段および当該信号の受信時にバッテリをスイッチオンするスイッチオン手段を有し、バッテリ駆動されるワイヤレスのセンサ信号伝送手段の複数と、センサ信号伝送手段と離隔して設けられ、センサ信号伝送手段のそれぞれに、各々特定の特性を有する所定信号を発生して伝送するための手段とを具え、それぞれのセンサ信号伝送手段に設けられた受信手段は、当該センサに関連した特定の特性を有する信号であって、これに応じてバッテリをスイッチオンするための信号に応答し、他のセンナに対する所定信号には反応しない手段を有することを特徴とする。
　本発明の好適実施例では、所定信号は光学的に伝送される。好適には、特定の特性は各センサのための伝送信号が有する所定の変調周波数である。そして、各センサレシーバは、そのセンサに関連した所定周波数のためのフィルタを有する。
［実施例］
  以下、図面を参照して本発明の実施例を詳細に説明する。
  第１図は工作機械の台（ベッド）10および工具保持スピンドル12を示す。スピンドル12は、台10に対してクランプされたワークピース14の加工および検査動作を実行するために台10に対しX,YおよびＺ方向に移動可能である。ワークピースに加工を施すべく、コンピュータ数値制御装置（不図示）のプログラム制御の下、スピンドル12は、工具マガジン16に貯蔵された種々の切削工具（不図示）のいずれをもピックアップできる。検査動作を行うべく、スピンドル12は同様にマガジン16に貯蔵された複数のプローブ18A,18B,18Cのいずれをもピックアップ可能である。
  第１図示のプローブは接触トリガプローブであり、スタイラス20がワークピース14の表面と接触したときに公知の方法で出力信号を発生するための回路22（第３図）を有している。プローブ信号を伝送して機械に戻すために、各プローブは第３図中符号23で示した信号トランスミッタ回路を有している。プローブ回路22およびトランスミッタ23は、プローブ内のバッテリ24によって電力が供給される。トランスミッタは第１図に示すように、プローブ表面上に赤外光の発光ダイオード26を有している。所望であれば、１以上のそのような発光ダイオードをプローブの周囲に配置して、全方向形信号伝送を行うようにすることもできる。使用に際しては、発光ダイオード26から伝送される赤外信号は機械に取付けられたレシーバおよびトランスミッタモジュール28によって受信される。このモジュール28は、第２図に示すように、レシーバ・フォトダイオード58および信号処理回路60を含む回路を有し、ここからプローブ信号がライン62を通ってインタフェース（不図示）を介し機械のコンピュータ数値制御装置に伝送される。プローブからのプローブ信号を伝送し、およびこれを受信して処理するモジュール28内の回路は従来のものを用いることができるので詳述しない。
  パワーを保存するために、各プローブ内のバッテリ24は電子切換えスイッチ30を介してプローブ回路22およびトランスミッタ23に接続される。スイッチ30は、ライン54を介して回路22およびトランスミッタ23に電力供給を行うために、機械のレシーバおよびトランスミッタモジュール28から伝送される所定の信号の受信に応じてスイッチングされる。所定の信号は第２図の残りの回路によって機械モジュール28内で生成され、各プローブ上でプローブのレシーバ34の要素であるフォトダイオード32により受信される。
  第２図に示すように、機械モジュール28内のトランスミッタ35は、赤外光の発光ダイオード36を含んでいる。第２図の機械モジュールはまた、制御されるべき最大数のプローブ18A,18B,18Cに対応して複数の方形波発振器38A,38B,38Cを有している。各発振器は5kHz,6kHz,7kHzのように異なった周波数f1,f2,f3を有する信号を発生する。所定のプローブ18がスピンドル12にピックアップされてスイッチオンとされると、この結果、信号が機械のコンピュータ数値制御装置からモジュール28内の制御回路40に伝送される。そこで制御回路40はセレクタスイッチ42を作動させ、発振器38A,38B,38Cの１つの対応出力を選択させる。次にこれによって単安定マルチバイブレータ44がトリガされ、例えば250msの所定時間のパルスを発生する。単安定マルチバイブレータ44の出力はゲート46を制御してセレクタスイッチ42の出力を通過させ、これによってトランスミッタ35は選択されている周波数f1,f2,またはf3を有する250ms幅バーストの方形波パルスを受信する。このバーストパルスは光学的にプローブのレシーバ34に伝送される。発光ダイオード36の赤外線出力は周波数f1,f2またはf3をもって効果的に変調（オンおよびオフにスイッチング）される。
  プローブ（第３図）はレシーバ34の出力を受信するバンドパスフィルタ48を含んでいる。各プローブ18A,18B,18C内のフィルタ48は、そのプローブに対応した適切な周波数f1,f2,f3に適合するよう同調されている。従って、セレクタ42で選択されているプローブのバンドパスフィルタ48だけが、プローブをスイッチオンするために伝送される信号を通過させ、マガジン16内の他のプローブは影響を受けない。
  選択されたプローブのバンドパスフィルタ48の出力は一般的なディテクタ回路50に受信される。ディテクタ回路50は電流および平滑化を行うことによって交番信号を検出する。その結果、単安定マルチバイブレータ44の250msに対応した長さのパルスが生成される。これが電子スイッチ30をスイッチングするのに用いられ、バッテリ24がプローブ回路22およびトランスミッタ23に接続されてこれらを付勢する。
  プローブ回路22およびトランスミッタ23を所定時間、例えば１または２分後にスイッチオフするために、スイッチ30はタイマ52によって制御される。タイマ52にはスイッチ30およびライン54を介して電力が供給される。タイマ52は、プローブ回路22が状態を変えた各時点で、すなわちスタイラス20がワークピース14と接触または接触解除したときからさらに１または２分後にリセットされる。これは、プローブ回路が非使用となってから１または２分の期間後に消勢されることを意味している。
  レシーバ34,フィルタ48およびディテクタ50は、切替えスイッチ30およびライン56を介してバッテリ24より電力の供給を受ける。スイッチ30が電力をライン54に供給しているときには、ライン56には電力が供給されない。これによって、トランスミッタ23がプローブのレシーバ34と干渉できなくなる。両者は同時に付勢されることは決してないからである。」（２頁右上欄２行〜４頁右下欄３行）
　
　上記記載事項を総合すれば、刊行物１には、次の発明が記載されていると認められる。
　
【刊行物１に記載された発明】
「工作機械上のプローブ１８Ｃ（工作機械プローブに相当。）であって、 
　信号トランスミッタ回路２３（無線信号伝送回路に相当。）およびレシーバ３４，バンドパスフィルタ４８（低電力消費回路に相当。）と、
　交番信号、つまり、赤外光の、周波数f3を有する250ms幅バーストの方形波パルス（光パルスのバーストからなる光スイッチオン信号に相当。）を検出（検出に相当。）し、前記信号トランスミッタ回路２３（無線信号伝送回路に相当。）を付勢（スイッチオンに相当。）する、ディテクタ回路５０及び電子スイッチ３０（検出回路に相当。）と
を具える、 
　ことを特徴とする工作機械上のプローブ１８Ｃ（工作機械プローブに相当。）。」（以下、「刊行物１に記載された発明」という。）
　
４．対比
　
　本願発明と刊行物１に記載された発明とを、対比する。
　
　刊行物１に記載された発明における、「工作機械上のプローブ１８Ｃ」は、
　本願発明における、「工作機械プローブ」に相当する。
　
　さらに、刊行物１に記載された発明における、「信号トランスミッタ回路２３」、「レシーバ３４，バンドパスフィルタ４８」、「交番信号、つまり、赤外光の、周波数f3を有する250ms幅バーストの方形波パルス」、「検出」、「付勢」、「ディテクタ回路５０及び電子スイッチ３０」は、それぞれ、
　本願発明における、「無線信号伝送回路」、「低電力消費回路」、「光パルスのバーストからなる光スイッチオン信号」、「検出」、「スイッチオン」、「検出回路」に相当する。
　
　してみると、両者の一致点、相違点は、以下のとおりである。
　
【一致点】
「工作機械プローブであって、 
　無線信号伝送回路および低電力消費回路と、 
　光パルスのバーストからなる光スイッチオン信号を検出し、該光スイッチオン信号を検出したとき前記無線信号伝送回路をスイッチオンする検出回路と
を具える、
　ことを特徴とする工作機械プローブ。」
　
【相違点１】
　本願発明では、低電力消費回路が、入力信号を増幅する増幅器を含んでいるのに対し、
　刊行物１に記載の発明では、レシーバ３４，バンドパスフィルタ４８（低電力消費回路に相当。）が、バンドパスフィルタ４８の出力（入力信号に相当。）を増幅する増幅器を含んでいるかどうか明らかでない点。
　　
【相違点２】
　本願発明では、検出回路が、光スイッチオン信号の光パルスのバーストの持続時間に基づいて、増幅器によって増幅された入力信号が光スイッチオン信号であるか妨害信号であるかを弁別する時間弁別回路を含むのに対し、
　刊行物１に記載された発明では、ディテクタ回路５０及び電子スイッチ３０（検出回路に相当。）が、かかる時間弁別回路を含んでいない点。
　　
５．判断
　
　前記相違点について検討する。
　
（１）相違点１について
　
　ディテクタ回路５０への入力信号が十分強ければ、ディテクタ回路５０はうまく機能するであろうし、ディテクタ回路５０への入力信号が弱ければ、ディテクタ回路５０はうまく機能しないであろうから、
　レシーバ３４，バンドパスフィルタ４８（低電力消費回路に相当。）が、バンドパスフィルタ４８の出力（入力信号に相当。）を増幅する増幅器を含むように構成することは、ディテクタ回路５０への入力信号の強さに応じて、当業者が適宜なしうることである。
　
（２）相違点２について
　
　刊行物２である国際公開第９９／４１８５６号には、次の記載がある。
　以下において括弧内の訳文は、対応する特表２００１−５２０８４４号公報によった。
　
（２−１）
「SIGNAL TRANSMISSION CIRCUIT FOR PROBE
 
This invention relates to a signal transmission circuit. It may be used for the signal generated by a probe of the type used for measurement on position determining machines such as machine tools.
 
It is known to insert a measuring probe into the movable spindle of a machine tool, so that the spindle may bring the probe into contact with various surfaces of a workpiece to be measured. Since the probe is exchangeable for cutting tools, it is difficult or impossible to hardwire the probe to the subsequent interface circuit which processes the signal and interfaces it to the machine control. Consequently, various wireless signal transmission systems are known. These may, for example, transmit the signals optically or by radio to a receiver mounted on the fixed structure of the machine.」（第１頁第１、２段落）
（プローブ用信号伝送回路 
　
　本発明は、信号伝送回路(signal transmission circuit)に関する。本発明は、工作機械のような位置測定・決定機械(position determining machine)での測定に使用されるタイプのプローブによって生成される信号に適用することができる。
　
　工作機械の可動スピンドルに測定プローブ(measuring probe)を挿入し、その可動スピンドルによって、測定すべきワークピースの様々な表面にプローブを接触させることが知られている。プローブは切断工具と交換することができるので、信号を処理しその信号を機械制御装置にインタフェースする後続のインタフェース回路に対して、プローブを結線することは困難であり、場合によっては不可能である。このようなことから、様々な無線信号伝送システムが知られている。これらのシステムは、例えば、機械の固定構造上にマウントされた受信機に信号を光学的に伝送するか、あるいは無線で伝送している。）
　
（２−２）
「Problems arise, however, both with single receivers and multiple receivers, if the receivers are made more sensitive so as to extend the range of the signal transmission. The greater sensitivity renders the receivers more susceptible to interference. In the case of optical systems, such interference may be caused by strobe beacons, fluorescent lights, or even other signal transmission systems of probes on nearby machines.」（第２頁第２段落）
（しかし、信号伝送の範囲を拡張するために受信機の感度をより高めようとすると、単一の受信機の場合でも、複数の受信機の場合でも、問題が生じる。感度が高くなるにつれて、受信機が干渉を受ける可能性が高くなる。光学システムの場合、このような干渉は、ストローブビーコン(strobe becon)、蛍光灯、あるいは、近傍にある機械上のプローブの他の信号伝送システムによって生じる可能性がある。）
　
（２−３）
「The range of the signal transmission system is improved (compared to previously known arrangements) partly by increasing the power output of the diodes 16, but mainly by increasing the sensitivity of the receivers 18,18'.
Naturally, however, this also makes them more sensitive to unwanted interference, such as from xenon strobe beacons, fluorescent lights and the signal transmission systems of probes on nearby machines. Arrangements which enable one or more of these problems to be reduced or overcome will now be described.」（第４頁第４段落）
（信号伝送システムの有効範囲は、部分的にはダイオード１６の出力を増大させることによって（既知の構成と比べて）向上するが、主として受信機１８，１８’の感度を高めることによって向上する。
　しかし、当然のことながら、この場合、キセノンストローブビーコンや、蛍光灯や、近傍の機械上のプローブの信号伝送システムなどからの、不要な干渉に対する感度も高くなる。次に、これらの問題のうちの１つまたは複数を軽減または解消できるようにする構成について説明する。）
　
（２−４）
「Fig 2 shows schematically the circuit of one of the receivers 18. The other receiver 18' is similar. The infra-red light pulses are received by a photodiode 28, and processed by an amplifier 30. This includes an automatic gain control (AGC) and has a high pass characteristic. The amplifier thus provides low frequency signal cancellation, to remove the effects of sunlight, low frequency lighting, and other background light. It also produces an automatic gain control output on a line 48, which is indicative of the amplitude of the incoming pulses. This output also provides the DC level on the line 24 to the interface 22.」（第５頁第１段落）
（図２は、一方の受信機１８の回路構成を示す。他方の受信機１８’も同様である。赤外線パルスは、フォトダイオード２８によって受信され、増幅器３０によって処理される。この増幅器は、自動利得制御（ＡＧＣ）回路を含み、ハイパス（高域通過）特性を有する。したがって、この増幅器は、低周波信号を打ち消すことによって、日光，低周波の照明、およびその他の背景光の影響を除去する。増幅器３０は、着信パルスの振幅を示す自動利得制御信号もライン４８上に出力する。この出力はまた、ＤＣレベルをライン２４を介してインタフェース２２に供給する。）
　
（２−５）
「The purpose of the time window generator 80 is to distinguish between genuine signal pulses and interference pulses, e.g. from xenon beacons or fluorescent lights, which are longer than the chosen time window. When a genuine pulse is followed by a second genuine pulse within the time window, this turns off the transistor 82 briefly, enabling the peak detectors 72,74 so that they react to the second genuine pulse and set the threshold in accordance with its amplitude. Continuing genuine signal pulses ensure that the peak detectors 72,74 continue to be enabled briefly for each successive pulse. In the event of an interference pulse longer than the time window, the transistor 82 remains on so that the peak detectors are disabled. In this way, the interference pulse does not increase the threshold setting, and succeeding signal pulses are correctly detected by the threshold detector 32. Of course, the interference pulse passes through the line drivers 54 to the interface 22, but the pulse decoding circuitry in the interface 22 can recover from the resulting error with the aid of the succeeding signal pulses which are unaffected.」（第１０頁第３段落）
（時間窓発生器８０の目的は、真の信号パルスと、選択された時間窓よりも長い、たとえばキセノンビーコンや蛍光灯からの干渉パルスとを区別することである。真のパルスに続いて、時間窓内に第２の真のパルスが得られると、トランジスタ８２が短時間の間オフにされ、ピーク検出器７２，７４がイネーブルされ、したがって、第２の真のパルスに応答し、その振幅に従ってしきい値が設定される。真の信号パルスが継続すると、ピーク検出器７２，７４は引き続き、連続する各パルスについて短時間の間(briefly)イネーブルされる。時間窓よりも長い干渉パルスが生じた場合、トランジスタ８２はオンのままになり、したがって、ピーク検出器はディスエーブルされる。このように、干渉パルスがしきい値設定値を増大させることはなく、連続する信号パルスはしきい値検出器３２によって正しく検出される。もちろん、干渉パルスはラインドライバ５４を通過してインタフェース２２に達するが、インタフェース２２内のパルス復号回路は、影響を受けていない後続の信号パルスの助けを得て、結果として得られる誤差を回復(recover)することができる。）
　
　以上の記載を総合判断すると、刊行物２には、
　
【刊行物２に記載された技術的課題】
「工作機械測定プロ−ブの光学的伝送システムにおいては、伝送信号が、ストローブビーコン(strobe becon)、蛍光灯、あるいは、近傍にある機械上のプローブの他の信号伝送システムによって生じる干渉パルスによって干渉を受けるため、受信信号が、真の信号パルスであるか干渉パルスであるかを区別する必要がある。」（以下、「刊行物２に記載された技術的課題」という。）
　
が記載されていると認められ、
　かかる技術的課題は、刊行物１に記載の発明である、光学的伝送を行う工作機械上のプローブ１８Ｃも、当然に有していると認められる。
　
　そして、
　
【周知の技術的事項】
「受信信号が、データ成分であるかノイズ成分であるかを判別するために、規定の周波数および強度を有するもののみを受信する受信手段７、あるいは、着信信号を検出し波形整形等を行う着信信号検出回路８の後段に、受信信号の持続時間に基づいて、受信信号がデータ成分であるかノイズ成分であるかを判別する判別手段８、あるいは、制御回路１を設ける。」（以下、「周知の技術的事項」という。）
ことは、周知である。
　
　この点については、例えば、刊行物３である特開昭６２−２８７７２４号公報の記載、
　
「しかし、実際には通信データビットとしての条件には周波数１強度の他に、位相、持続時間があり、これらの条件を総て満足しなければノイズが通信データビットと誤認されることはなく、通信を阻害することも起らない。」（２頁左上欄３行〜７行）
　
「第１図において、受信手段７は信号伝送路となる電力線１′の信号から、規定の周波数および強度を有するもののみを受信し、判別手段８に送る。
　判別手段８は受信信号を規定の位相関係、持続時間の条件を満たすデータ成分と前記条件を満たさないノイズ成分とに判別する。」（２頁右上欄１４行〜１９行）
　
  特開昭６２−７３８４５号公報の記載、
　
「着信信号を検出し波形整形等を行ない出力する検出回路（詳細な説明では、着信信号検出回路８）と、該回路の出力が供給され出力信号のＨレベルとＬレベルの継続時間を計数し、計数値と予め設定された所定値を比較することにより、正常な着信信号か雑音信号かを判断する制御回路（詳細な説明では、制御回路１）を具備したことを特徴とする自動着信検出装置。」（１頁左欄４行〜１０行）
　
を参照されたい。
　
　よって、刊行物１に記載の発明に、上記課題を解決すべく、上記周知の技術的事項を適用して、
　
　バンドパスフィルタ４８の出力（入力信号に相当。）が、真の信号パルスであるか干渉パルスであるかを区別（弁別に相当。）するために、バンドパスフィルタ４８後段の、ディテクタ回路５０（検出回路に相当。）に、上記周知の技術的事項に係る、判別手段８あるいは制御回路１を設け、
　
　本願発明の如く、
「ディテクタ回路５０及び電子スイッチ３０（検出回路に相当。）が、赤外光の、周波数f3を有する250ms幅バーストの方形波パルス（光スイッチオン信号の光パルスに相当。）のバーストの250ms幅（持続時間に相当。）に基づいて、増幅器によって増幅されたバンドパスフィルタ４８の出力（入力信号に相当。）が真の信号パルス（光スイッチオン信号に相当。）であるか干渉パルス（妨害信号に相当。）であるかを判別・判断（弁別に相当。）する、判別手段８あるいは制御回路１といった手段（時間弁別回路に相当。）を含む。」
　
ように構成することは、当業者ならば容易に想到し得たことである。
　
　そして、本願発明の作用効果も、刊行物１に記載された発明、刊行物２に記載された技術的課題、及び、周知の技術的事項から当業者が予測可能なものであって格別のものでもない。
　
６．むすび
　
　以上のとおり、本願発明は、刊行物１に記載された発明、刊行物２に記載された技術的課題、及び、周知の技術的事項に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。